(57)【要約】【課題】横方向からの強い風雨が浸入することを防止できる瓦の連結構造及び瓦止め工法を提供する。【解決手段】屋根１１に敷設した平面略四角形状をなす瓦１４の連結構造であって、横方向に互いに隣り合うようにかつその一部同士が互いに上下に重なり合うように敷設された両瓦１４のうち、上方に位置する瓦１４における重なり合った部分に対応した横側部２０全域と、下方に位置する瓦１４の表面２１と、を接着剤２２にて互いに固定した。【選択図】      図３
2005139724.tif 000002
【特許請求の範囲】
【請求項１】
屋根に敷設した平面略四角形状をなす瓦の連結構造であって、
横方向に互いに隣り合うようにかつその一部同士が互いに上下に重なり合うように敷設された両瓦のうち、
上方に位置する瓦における下方に位置する瓦と重なり合った部分に対応した横側部全域と、
下方に位置する瓦の表面と、
を接着剤にて互いに固定したことを特徴とする瓦の連結構造。
【請求項２】
屋根勾配方向に互いに隣り合うようにかつその一部同士が互いに上下に重なり合うように敷設された両瓦のうち、
上方に位置する瓦の四つの隅部のうち屋外に露出する露出隅部と、
下方に位置する瓦の表面と、
を接着剤にて互いに固定したことを特徴とする請求項１に記載の瓦の連結構造。
【請求項３】
屋根に敷設した複数の瓦のうち横方向における端に位置する袖瓦において、
屋根勾配方向に互いに隣り合うようにかつその一部同士が互いに上下に重なり合うように敷設された両袖瓦のうち、
上方に位置する袖瓦の軒先側部全域と、
下方に位置する袖瓦の表面と、
を接着剤にて互いに固定したことを特徴とする請求項１又は請求項２に記載の瓦の連結構造。
【請求項４】
屋根に平面略四角形状をなす瓦を敷設する際に、
横方向に互いに隣り合うようにかつその一部同士が互いに上下に重なり合うように敷設された両瓦のうち、
上方に位置する瓦における下方に位置する瓦と重なり合った部分に対応した横側部全域と、
下方に位置する瓦の表面と、
を接着剤にて互いに固定することを特徴とする瓦止め工法。
【請求項５】
屋根勾配方向に互いに隣り合うようにかつその一部同士が互いに上下に重なり合うように敷設された両瓦のうち、
上方に位置する瓦の四つの隅部のうち屋外に露出する露出隅部と、
下方に位置する瓦の表面と、
を接着剤にて互いに固定することを特徴とする請求項４に記載の瓦止め工法。
【請求項６】
屋根に敷設する複数の瓦のうち横方向における端に位置する袖瓦において、
屋根勾配方向に互いに隣り合うようにかつその一部同士が互いに上下に重なり合うように敷設された両袖瓦のうち、
上方に位置する袖瓦の軒先側部全域と、
下方に位置する袖瓦の表面と、
を接着剤にて互いに固定することを特徴とする請求項４又は請求項５に記載の瓦止め工法。
【発明の詳細な説明】
【技術分野】
【０００１】
本発明は木造建築物等の瓦の連結構造及び瓦止め工法に関するものである。
【背景技術】
【０００２】
近年、木造建築物等の野路板上に瓦を順次敷設する際に、接着剤と瓦用固定具を用いて瓦同士及び瓦と野地板とを固定する瓦の連結構造が知られている（例えば、特許文献１参照。）。この瓦の連結構造は、図４に示すように、横方向に互いに隣り合うようにかつその一部同士が互いに上下に重なり合うように敷設された両瓦５０、及び屋根勾配方向に互いに隣り合うようにかつその一部同士が互いに上下に重なり合うように敷設された両瓦５０の重合部分の一部に接着剤５１を塗布して仮止めをする。そして、瓦用固定具５２にて屋根と該屋根の周縁に位置する瓦５０とを固定している。
【特許文献１】特開平８−３０２９１５号公報
【発明の開示】
【発明が解決しようとする課題】
【０００３】
ところで、特許文献１では、横方向に互いに隣り合うようにかつその一部同士が互いに上下に重なり合うように敷設された両瓦５０の重合部分の一部に接着剤５１を塗布するようにしている。そのため、敷設された瓦５０に横方向からの強い風雨が吹き付けられると、重合部分の接着剤５１が塗布されていない部分から風雨が浸入し野路板を濡らしてしまうことがあった。
【０００４】
本発明は、前述した事情に鑑みてなされたものであって、その目的は横方向からの強い風雨が浸入することを防止できる瓦の連結構造及び瓦止め工法を提供することにある。
【課題を解決するための手段】
【０００５】
上記目的を達成するために、請求項１に記載の発明は、屋根に敷設した平面略四角形状をなす瓦の連結構造であって、横方向に互いに隣り合うようにかつその一部同士が互いに上下に重なり合うように敷設された両瓦のうち、上方に位置する瓦における下方に位置する瓦と重なり合った部分に対応した横側部全域と、下方に位置する瓦の表面と、を接着剤にて互いに固定した。
【０００６】
請求項２に記載の発明は、請求項１に記載の発明において、屋根勾配方向に互いに隣り合うようにかつその一部同士が互いに上下に重なり合うように敷設された両瓦のうち、上方に位置する瓦の四つの隅部のうち屋外に露出する露出隅部と、下方に位置する瓦の表面と、を接着剤にて互いに固定した。
【０００７】
請求項３に記載の発明は、請求項１又は請求項２に記載の発明において、屋根に敷設した複数の瓦のうち横方向における端に位置する袖瓦において、屋根勾配方向に互いに隣り合うようにかつその一部同士が互いに上下に重なり合うように敷設された両袖瓦のうち、上方に位置する袖瓦の軒先側部全域と、下方に位置する袖瓦の表面と、を接着剤にて互いに固定した。
【０００８】
請求項４に記載の発明は、屋根に平面略四角形状をなす瓦を敷設する際に、横方向に互いに隣り合うようにかつその一部同士が互いに上下に重なり合うように敷設された両瓦のうち、上方に位置する瓦における下方に位置する瓦と重なり合った部分に対応した横側部全域と、下方に位置する瓦の表面と、を接着剤にて互いに固定する。
【０００９】
請求項５に記載の発明は、請求項４に記載の発明において、屋根勾配方向に互いに隣り合うようにかつその一部同士が互いに上下に重なり合うように敷設された両瓦のうち、上方に位置する瓦の四つの隅部のうち屋外に露出する露出隅部と、下方に位置する瓦の表面と、を接着剤にて互いに固定する。
【００１０】
請求項６に記載の発明は、請求項４又は請求項５に記載の発明において、屋根に敷設する複数の瓦のうち横方向における端に位置する袖瓦において、屋根勾配方向に互いに隣り合うようにかつその一部同士が互いに上下に重なり合うように敷設された両袖瓦のうち、上方に位置する袖瓦の軒先側部全域と、下方に位置する袖瓦の表面と、を接着剤にて互いに固定する。
【発明の効果】
【００１１】
本発明によれば、横方向からの強い風雨が浸入することを防止できる。
【発明を実施するための最良の形態】
【００１２】
以下、本発明を具体化した一実施形態を図１〜図３に従って説明する。
なお、以下の説明において、「屋根勾配方向」とは図３における上下方向、「横方向」とは図３における左右方向（屋根勾配方向に対して直交する方向）、「軒先側」とは図３における下側、「棟側」とは図３における上側、「上方」とは図３における紙面に直交する手前方向、「下方」とは図３における紙面に直交する奥方向のことをいう。
【００１３】
図１に示すように、屋根１１には、その上面が地面に対して所定角度をなすように形成された野地板１２が設けられている。野地板１２上には、複数の帯状の桟木１３が横方向に延びるように配置されている。各桟木１３は屋根勾配方向に一定間隔をおいてそれぞれ野地板１２上に固定されている。
【００１４】
瓦１４は平面略四角形状でかつ断面波板状に形成され、図２に示すように、瓦１４の下面には桟木１３に引っ掛けるための掛止部１５が形成されている。
図１に示すように、屋根勾配方向に隣り合う各桟木１３の間隔は、各桟木１３に複数枚の瓦１４が引っ掛けられて敷設されたときに、上方に位置する瓦１４の頭１６が下方に位置する瓦１４の尻１７の上に重なるように設定されている。各桟木１３に各瓦１４の掛止部１５（図２参照）を引っ掛けることにより、複数の瓦１４は横方向及び屋根勾配方向に整列された状態で敷設されている。
【００１５】
図３に示すように、屋根１１に敷設した複数の瓦１４のうち横方向における端（左端）に位置する瓦１４は、袖瓦１４ａとされている。
次に、各桟木１３に掛け止めされた複数の瓦１４の連結構造について詳述する。
【００１６】
図３に示すように、横方向に互いに隣り合う両瓦１４（袖瓦１４ａも含む）は、その一部が互いに上下に重なり合うように敷設されている。詳述すると、横方向に互いに隣り合う両瓦１４のうち右方に位置する瓦１４が左方に位置する瓦１４の一部を覆い隠すように敷設されている。また、屋根勾配方向に互いに隣り合う両瓦１４（袖瓦１４ａも含む）は、その一部が互い上下に重なり合うように敷設されている。詳述すると、屋根勾配方向に互いに隣り合う両瓦１４のうち上方に位置する瓦１４が下方に位置する瓦１４の一部を覆い隠すように敷設されている。
【００１７】
ここで、図３に示すように、横方向において互いに隣り合う１組の瓦１４Ａ，１４Ｂに着目してみると、上方に位置する瓦１４Ａの瓦１４Ｂ側の側部（以下、横側部２０という）の全域と、下方に位置する瓦１４Ｂの表面２１とが接着剤２２にて互いに固定されている。この接着剤２２により瓦１４Ａの横側部２０全域は隙間なく塞がれている。このようにして、各瓦１４は、横方向に互いに隣り合う同士で、瓦１４Ａと瓦１４Ｂとの固定関係と同様に接着剤２２にて互いに固定されている。
【００１８】
なお、接着剤２２及び後述する接着剤２５，２８としては、例えば、弾性及び防水性並びに耐久性を有するシリコーン樹脂系の接着剤が望ましいが、弾性及び防水性並びに耐久性を有し、かつ瓦１４同士を接着可能な接着剤であればどのような接着剤でもよい。また、本実施形態におけるシリコーン樹脂系の接着剤の耐久年数は、瓦葺き替え周期年数と同年数となっている。
【００１９】
次に、図３に示すように、屋根勾配方向において互いに隣り合う１組の瓦１４Ａ，１４Ｃに着目してみると、上方に位置する瓦１４Ａの瓦１４Ｃ側の側部（以下、軒先側部２３という）と、下方に位置する瓦１４Ｃの表面２４とが接着剤２５にて互いに固定されている。詳述すると、瓦１４Ａの軒先側部２３の瓦１４Ｂ側端部（以下、軒先端部２３ａという）と瓦１４Ｃの表面２４とが接着剤２５にて互いに固定されている。このようにして、各瓦１４は、屋根勾配方向に互いに隣り合う同士で、瓦１４Ａと瓦１４Ｃとの固定関係と同様に接着剤２５にて互いに固定されている。
【００２０】
即ち、瓦１４Ａにおける四つの隅部Ｓのうち屋外に露出する露出隅部Ｓａと、瓦１４Ｃの表面２１とが接着剤２２，２５にて互いに固定されている。
次に、図３に示すように、屋根勾配方向において互いに隣り合う袖瓦１４Ｄ，１４Ｅに着目してみると、上方に位置する袖瓦１４Ｄの袖瓦１４Ｅ側の側部（以下、軒先側部２６という）の全域と、下方に位置する袖瓦１４Ｅの表面２７とが接着剤２８にて互いに固定されている。このようにして、各袖瓦１４ａは、屋根勾配方向に互いに隣り合う同士で、袖瓦１４Ｄと袖瓦１４Ｅとの固定関係と同様に接着剤２８にて互いに固定されている。
【００２１】
次に、本実施形態の瓦止め工法について説明する。
屋根１１に瓦１４（袖瓦１４ａ）を葺く場合には、まず、野地板１２上に複数の桟木１３を屋根勾配方向に一定間隔をおいて固定する。そして、一枚の瓦１４（袖瓦１４ａ）の掛止部１５を桟木１３に引っ掛ける。続いて、その瓦１４（袖瓦１４ａ）の横方向及び屋根勾配方向に並ぶように、別の瓦１４（袖瓦１４ａ）を同じ桟木１３及び屋根勾配方向の隣にある桟木１３に対して同様に引っ掛け、野地板１２の上面全体にわたって瓦１４（袖瓦１４ａ）を敷設する。
【００２２】
このとき、図３に示すように、横方向に隣り合う瓦１４（袖瓦１４ａ）においては、右方の瓦１４（袖瓦１４ａ）の一部が、左方の瓦１４（袖瓦１４ａ）の一部の上に重なるようにして敷設する。また、屋根勾配方向に隣り合う瓦１４（袖瓦１４ａ）においては、棟側の瓦１４（袖瓦１４ａ）の一部が、軒先側の瓦１４（袖瓦１４ａ）の一部の上に重なるようにして敷設する。
【００２３】
そして、横方向に互いに隣り合うように敷設された両瓦１４において、上方に位置する瓦１４の横側部２０全域と、下方に位置する瓦１４の表面２１とを接着剤２２にて固定する。
【００２４】
また、屋根勾配方向に互いに隣り合うように敷設された両瓦１４において、上方に位置する瓦１４の軒先端部２３ａと、下方に位置する瓦１４の表面２４とを接着剤２５にて互いに固定する。この結果、上方に位置する瓦１４の露出隅部Ｓａと、下方に位置する瓦１４の表面２４とが接着剤２２，２５にて互いに固定される。
【００２５】
さらに、屋根勾配方向に互いに隣り合うように敷設された両袖瓦１４ａにおいて、上方に位置する袖瓦１４ａの軒先側部２６全域と、下方に位置する袖瓦１４ａの表面２７とを接着剤２８にて互いに固定する。
【００２６】
従って、本実施形態によれば、以下のような効果を得ることができる。
（１）横方向に互いに隣り合うように敷設された両瓦１４において、上方に位置する瓦の横側部２０全域と、下方に位置する瓦１４の表面２１とを接着剤２２にて固定した。従って、上方に位置する瓦１４の横側部２０全域と、下方に位置する瓦１４の表面２１とが隙間なく塞がれているため、各瓦１４に対して横方向からの強い風雨が吹き付けられても瓦１４と野地板１２との間に雨水が浸入することを防ぐことができる。
【００２７】
（２）屋根勾配方向に互いに隣り合うように敷設された両瓦１４において、上方に位置する瓦１４の露出隅部Ｓａと、下方に位置する瓦１４の表面２４とを接着剤２２，２５にて互いに固定した。このため、上方に位置する瓦１４は、強風などを受けた際に、ずれたり露出隅部Ｓａからめくり上がったりすることがない。
【００２８】
また、露出隅部Ｓａは、瓦１４における屋外に露出した角部のため、風などによって運ばれてきた物が当たると欠けなどが起こりやすい。しかしながら、露出隅部Ｓａに弾性を有する接着剤２２，２５が固定されていることにより、露出隅部Ｓａに物が当たっても、その接着剤２２，２５が衝撃を吸収する役目を果たすため、露出隅部Ｓａが欠けることを抑制することができる。
【００２９】
さらに、上方に位置する瓦１４は、軒先側部２３全域が接着剤２５にて固定されているのではなく、軒先端部２３ａのみが接着剤２５にて固定されている。そのため、この軒先側部２３の接着剤２５が設けられていない部分とその下方に位置する瓦１４の表面２１との隙間を介して野地板１２へ空気を流通させることが可能となり、瓦１４と野地板１２との間に湿気を溜めにくくすることができる。
【００３０】
加えて、各瓦１４は、露出隅部Ｓａが接着剤２２，２５にて固定されている。そのため、瓦１４Ｃを基準として考えると、この瓦１４Ｃは、四つの隅部Ｓが接着剤２２，２５にて隣り合う瓦１４と互いに固定されている。即ち、この瓦１４Ｃは、接着剤２２，２５により横方向及び屋根勾配方向に隣り合った瓦１４と合理的に固定されている。従って、接着剤２２，２５により各瓦１４同士を合理的に固定することができる。
【００３１】
（３）図４に示すように、特許文献１では、袖瓦５０ａのずれの防止を、隣り合う瓦５０（袖瓦５０ａ）同士で重合する部分の一部を接着剤５１を用いて仮止めし瓦用固定具５２を用いて袖瓦５０ａを屋根に固定することにより実現していた。しかしながら、本実施形態では、図３に示すように、屋根勾配方向に互いに隣り合うように敷設された両袖瓦１４ａにおいて、上方に位置する袖瓦１４ａの軒先側部２６全域と、下方に位置する袖瓦１４ａの表面２７とを接着剤２８のみを用いて固定することにより、瓦用固定具５２がなくても袖瓦５０ａがずれることを防止している。そのため本実施形態の瓦止め工法によれば、瓦用固定具５２等を用意する必要がない分、部品管理が容易となり、かつ瓦葺き作業を簡素化することができる。また、本実施形態では、瓦用固定具５２を用いていないため、屋根に取り付けた瓦用固定具５２がゆるんで落下するというおそれがない。
【００３２】
なお、前記実施形態は、以下の態様に変更してもよい。
・本実施形態では、屋根勾配方向に互いに隣り合うように敷設された両袖瓦１４ａを接着剤２８にて固定していたが、この接着剤２８を用いた両袖瓦１４ａの固定を省略してもよい。
【００３３】
・本実施形態では、屋根勾配方向に互いに隣り合うように敷設された両瓦１４を接着剤２５にて固定していたが、この接着剤２５を用いた両瓦１４の固定を省略してもよい。
【図面の簡単な説明】
【００３４】
【図１】本実施形態における桟木に瓦を引っ掛けた状態を示す斜視図。
【図２】本実施形態における桟木と瓦の掛止部との関係を示す断面図。
【図３】本実施形態における瓦の連結構造を示す正面図。
【図４】従来技術における瓦の連結構造を示す正面図。
【符号の説明】
【００３５】
１１…屋根、１４（１４Ａ〜１４Ｃ）…瓦、１４ａ（１４Ｄ，１４Ｅ）…袖瓦、２０…横側部、２１，２４，２７…表面、２２，２５，２８…接着剤、２３…軒先側部、Ｓ…隅部、Ｓａ…露出隅部。
【図１】
2005139724.tif 000003
【図２】
2005139724.tif 000004
【図３】
2005139724.tif 000005
【図４】
2005139724.tif 000006